【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
無線周波数通信チャンネルにおける情報ビットを変調するための方法であって、
複数の情報ビットをグループ分けするステップと、
直交コードを補数コードで変形することにより生成されるＭ個の変形直交コードのうちの１つを、該グループ分けに基づいて選択するステップと、
該選択された変形直交コードに従って、少なくとも１つの搬送波信号を変調するステップと、を含む方法。
【請求項２】
請求項１に記載の方法において、さらに
該少なくとも１つの搬送波信号上で少なくとも１つの追加の情報ビットを変調するために位相シフトを適用するステップを含む方法。
【請求項３】
請求項１に記載の方法において、該直交シンボルが、Ｗａｌｓｈコードである方法。
【請求項４】
請求項１に記載の方法において、
該少なくとも１つの搬送波信号の位相が、Ｍ個の変形された直交コードのうちの該選択された１つにてＱＰＳＫ変調される方法。
【請求項５】
請求項１に記載の方法において、
該複数コードが、ｘを正の整数として、２ｘのチップ長を有している方法。
【請求項６】
請求項１に記載の方法において、
Ａを要素のシーケンスとし、Ｂを要素のシーケンスとし、そしてＢ’が該シーケンスＢ中のすべての要素を反転することにより導出されるものとしたとき、該補数コードがシーケンスＡＢＡＢ’により定義されるものである方法。
【請求項７】
請求項６に記載の方法において、
Ａ＝｛1 1｝およびＢ＝｛1 0｝として、該シーケンスＡＢＡＢ’が｛1 1 1 0 1 1 0 1｝で与えられる方法。
【請求項８】
請求項１に記載の方法において、
該補数コードが、該補数コードにおけるシフトに関して、該補数コードの自己相関が零シフトのところの主ピークを除いてその総和がゼロとなる特性により特徴づけられている方法。
【請求項９】
請求項１に記載の方法において、
該補数コードが、該変形された直交コードの長さの１／２以下に等しい自己相関サイドローブを有する変形された直交コードを与えるものである方法。
【請求項１０】
請求項１に記載の方法において、
該補数コードが、シーケンス｛1 1 1 0 1 1 0 1｝である方法。
【請求項１１】
請求項１０に記載の方法において、
該直交コードがＷａｌｓｈコードであり、そして当該Ｗａｌｓｈコードは、このコードに補数シーケンス｛1 1 1 0 1 1 0 1｝を乗算することにより変形されるようになっている方法。
【請求項１２】
請求項１に記載の方法において、さらに
フルデータモードまたはフォールバックモードを選択するステップを含み、該フルデータモードにおけるデータ速度が、該フォールバックモードにおけるデータ速度のおおよそ２倍である方法。
【請求項１３】
請求項１２に記載の方法において、
該フルデータモードが、該グループ分けするステップにおいて８つの情報ビットがグループ分けされるように選択され、および該Ｍ個の変形直交コードワードの各々が８つのチップを含んでいる方法。
【請求項１４】
請求項１２に記載の方法において、
該フォールバックデータモードが、該グループ分けするステップにおいて４つの情報ビットがグループ分けされるように選択され、および該Ｍ個の変形直交コードワードの各々が８つのチップを含むものである方法。
【請求項１５】
無線周波数通信チャンネル上で情報を搬送する受信信号を復調するための方法であって、
受信信号と、直交コードを補数コードにて変形することにより生成されるＭ（Ｍ＞１）個のシンボルから成るコードセットとの相関をとるステップと、
該相関をとるステップに基づいて、該コードセット中の該Ｍ個のシンボルのうちの１つを選択するステップと、を含む方法。
【請求項１６】
請求項１５に記載の方法において、
該補数コードが、Ｘを正の整数として２Ｘのチップ長を有する方法。
【請求項１７】
請求項１５に記載の方法において、
Ａを要素のシーケンス、Ｂを要素のシーケンスとし、そしてＢ’が該シーケンスＢ中のすべての要素を反転することにより導出されるものであるとしたとき、該補数コードがシーケンスＡＢＡＢ’により定義されるものである方法。
【請求項１８】
請求項１７に記載の方法において、
Ａ＝｛1 1｝およびＢ＝｛1 0｝であり、該シーケンスＡＢＡＢ’が｛1 1 1 0 1 1 0 1｝で与えられる方法。
【請求項１９】
請求項１５に記載の方法において、
該補数コードが、該補数コードにおけるシフトに関して、零シフトにおける主ピークを除き該補数コードの自己相関の総計がゼロとなるような特性により特徴づけられる方法。
【請求項２０】
請求項１５に記載の方法において、
該コードセット中のコードの長さの１／２以下に等しい、コードセット中の自己相関サイドローブを与えるものである方法。
【請求項２１】
請求項１５に記載の方法において、
該選択するステップが、該相関をとるステップからの最も高い複合相関規模に基いて該情報ビットを復号する方法。
【請求項２２】
請求項１５に記載の方法において、
最も高い相関規模を発生するコードセット内のコードの位相を検出するステップを含む方法。
【請求項２３】
請求項１５に記載の方法において、
該直交コードが、Ｗａｌｓｈコードであり、そして当該Ｗａｌｓｈコードが、このＷａｌｓｈコードに補数シーケンス｛1 1 1 0 1 1 0 1｝を乗算することにより変形される方法。
【請求項２４】
請求項１５に記載の方法において、
該無線周波数通信チャンネルにて受信された信号が、直交コードを補数コードで変形することにより生成されるコードを選択することにより、送信機のところで形成されるものである方法。
【請求項２５】
データビットを変調するためのデジタル変調システムであって、
該データビットをグループ分けする直列／並列変換器と、
該データビットのグループ分けに応動して、Ｎチップを有するコードであって、直交コードを補数コードにて変形することにより生成されるコードセットの要素であるコードを選択する変調器と、を備えるデジタル変調システム。
【請求項２６】
データビットのグループを変調するためのデジタル変調システムであって、
該データビットのグループをスクランブルするスクランブラと、
該データビットのグループ分けに応動して、Ｎチップを有するコードであって、直交コードを補数コードにて変形することにより生成されるコードセットの要素であるコードを選択する変調器と、を備えるデジタル変調システム。
【請求項２７】
請求項２５又は２６に記載のデジタル変調システムにおいて、
Ａを要素のシーケンス、Ｂを要素のシーケンスとし、そしてＢ’を該シーケンスＢ中のすべての要素を反転することにより導出されるものであるときに、該補数コードが、シーケンスＡＢＡＢ’により定義されるものであるデジタル変調システム。
【請求項２８】
請求項２７に記載のデジタル変調システムにおいて、
Ａ＝｛1 1｝およびＢ＝｛1 0｝であって、該シーケンスＡＢＡＢ’が｛1 1 1 0 1 1 0 1｝で与えられるようになっているデジタル変調システム。
【請求項２９】
請求項２５又は２６に記載のデジタル変調システムにおいて、
該補数コードが、該補数コードにおけるシフトに関して、該補数コードの自己相関が零シフトのところの主ピークを除いてその総和がゼロとなる特性により特徴づけられているデジタル変調システム。
【請求項３０】
請求項２５又は２６に記載のデジタル変調システムにおいて、
該補数コードが、Ｎチップコードの長さの１／２以下に等しいコードセット中の自己相関サイドローブを与えるものであるデジタル変調システム。
【請求項３１】
請求項２５又は２６に記載のデジタル変調システムにおいて、
該直交コードが、Ｗａｌｓｈコードであるデジタル変調システム。
【請求項３２】
請求項３１に記載のデジタル変調システムにおいて、
該Ｗａｌｓｈコードが、このＷａｌｓｈコードに補数シーケンス｛1 1 1 0 1 1 0 1｝を乗算することにより変形されるデジタル変調システム。
【請求項３３】
請求項２５に記載のデジタル変調システムにおいて、
該変調器が、フルデータモード又はフォールバックモードを選択するよう動作し、および該フルデータモードにおけるデータ速度が、該フォールバックモードにおけるデータ速度のおよそ２倍であるデジタル変調システム。
【請求項３４】
請求項２５に記載のデジタル変調システムにおいて、
該データビットのグループが８つのビットから成るようにフルデータモードが選択され、および該変形された直交コードのワードの各々が８つのチップを含むデジタル変調システム。
【請求項３５】
請求項２５に記載のデジタル変調システムにおいて、
該データビットのグループが４つのビットから成るようにフォールバックデータモードが選択され、および該Ｍ個の変形直交コードのワードの各々が８つのチップを含むデジタル変調システム。
【請求項３６】
無線周波数通信チャンネルを介して情報セットを搬送する受信信号を復調するためのデジタル復調器であって、
該受信信号と、Ｍ（Ｍ＞１）個のシンボルのコードセットとの相関をとるための相関ブロックであって、該コードセットが直交コードを補数コードにて変形することにより生成されるものである相関ブロックと、
該受信された信号の相関および該コードセットに基づいて、該コードセット中のＭ個のシンボルのうちの１つを選択するための発見コードブロックと、を備えるデジタル変調器。
【請求項３７】
請求項３６に記載のデジタル復調器において、
Ａを要素の系列、Ｂを要素の系列とし、そしてＢ’が系列Ｂ中のすべての要素を反転することにより導出されるものであるとき、該補数コードが、系列ＡＢＡＢ’によって定義されるデジタル復調器。
【請求項３８】
請求項３７に記載のデジタル復調器において、
Ａ＝｛1 1｝およびＢ＝｛1 0｝であり、該系列ＡＢＡＢ’が｛1 1 1 0 1 1 0 1｝で与えられるデジタル復調器。
【請求項３９】
請求項３６に記載のデジタル復調器において、
該補数コードが、該補数コードにおけるシフトに関して、該補数コードの自己相関が零シフトのところの主ピークを除いてその総和がゼロとなる特性により特徴づけられているデジタル復調器。
【請求項４０】
請求項３６に記載のデジタル復調器において、
該補数コードが、Ｎチップコードの長さの１／２以下に等しいコードセット内の自己相関サイドローブを与えるようになっているデジタル復調器。
【請求項４１】
請求項３６に記載のデジタル復調器において、さらに
最高の相関規模を発生するコードセット内のコードの位相を検出し、および該検出された位相に基づいてコードごとに余分の２ビットを復号する位相検出器を備えているデジタル復調器。
【請求項４２】
請求項３６に記載のデジタル復調器において、
該直交コードが、Ｗａｌｓｈコードであり、および当該Ｗａｌｓｈコードが、このＷａｌｓｈコードを補数シーケンス｛1 1 1 0 1 1 0 1｝で乗算することにより変形されるデジタル復調器。
【請求項４３】
請求項３６に記載のデジタル復調器において、
該無線通信チャンネルを介して受信された信号が、直交コードを補数コードにて変形することにより生成されるＮ個のチップを有するコードを選択する変調器を備える送信機によって送信されるデジタル変調器。